(57)【特許請求の範囲】
【請求項１】
所要のアンテナパターンにして形成されたアンテナにＩＣチップを実装している非接触型データ送受信体であって、ホログラム箔が貼り合わせにより一体化されたアンテナを有し、前記アンテナをオーバーシート材の間に挟み込み、前記オーバーシート材のアンテナ対応部分を透明にして前記アンテナのみがホログラム像とともに目視可能に設けられていることを特徴とする非接触型データ送受信体。
【発明の詳細な説明】
【０００１】
【発明の属する技術分野】
本発明は非接触型データ送受信体に関するものである。
【０００２】
【発明が解決しようとする課題】
近年において、電子データの受け渡しを行なえるようにしたものとしてＩＣチップを搭載したＩＣカードなどが普及するようになってきており、データの受け渡しを媒体としてその受け渡しを非接触にて行なえるようにアンテナを有した非接触型データ送受信体が、薄形で携帯にも便利であることから多く利用されている。このような送受信体はＩＣチップに組み込まれたシステムに高いデータ蓄積能力があるとともに高いデータセキュリティ能力があって、記録されているデータは改竄し難いものとなっている。
しかしながら、データ蓄積能力が高く各種の個人情報や金銭情報を記憶させてその個人情報や金銭情報の受け渡しにこの送受信体を利用する機会が多くなってくるにつけて、改竄が試みられる可能性が高くなるという問題がある。そして、その改竄の抑止効果を付与する方法は、一般のクレジットカードに利用されているように表面にホログラム転写箔を貼り付けたり、特殊な形状のエンボス文字を打刻するなど、従来からの方法と変わりがない。そのため、改竄の抑止効果が高くなる新たな方法が望まれていた。
そこで本発明者は非接触型データ送受信体においてアンテナが外部から見えるようにしてデザイン性を高めるようにしたものに着目して、そのアンテナを見ただけで改竄不能と思われるようにしたものである。よって、本発明は上記事情に鑑み、外部からアンテナをホログラム像とともに見えるようにすることを課題とし、改竄抑止効果を高めることを目的とするものである。
【０００３】
【課題を解決するための手段】
本発明は上記課題を考慮してなされたもので、所要のアンテナパターンにして形成されたアンテナにＩＣチップを実装している非接触型データ送受信体であって、ホログラム箔が貼り合わせにより一体化されたアンテナを有するものであって、特に、該アンテナをオーバーシート材の間に挟み込み、前記オーバーシート材のアンテナ対応部分を透明にして前記アンテナがホログラム像とともに目視可能に設けられていることを特徴とする非接触型データ送受信体を提供して、上記課題を解消するものである。
【０００４】
【発明の実施の形態】
つぎに本発明を図１から図３に示す実施の形態に基づいて詳細に説明する。
図中１は非接触型データ送受信体であり、薄形にして定型カードサイズの大きさのものである。そして、その内部には後述するアンテナ２とこのアンテナ２に実装したＩＣチップ３とから非接触状態でデータを受け渡しするとともに、データを蓄積する機能を実施するように設けられているものであり、前記アンテナ２がホログラム表示を伴って見えるようにして改竄に対する抑止効果を高めている。
【０００５】
図２に示すように、この非接触型データ送受信体１にあっては積層構成を有するものであって、まず、中心側に金属薄板４が位置している。前記金属薄板４はフィルムをベースとしてこのフィルム（例えばＰＥＴフィルム）４ａに導電性金属層４ｂを配してなるものである。そして、公知の装置により前記金属薄板４における導電性金属層部分４ｂの所定箇所にレーザー照射を行なって不要部分の金属層を除去し、アンテナパターンとしたアンテナ２を得るようにする。アンテナ２が得られた後にＩＣチップ３を実装する。さらにその後、前記アンテナ２にホログラム箔５を熱転写、或るいは熱圧着して一体化させる。これによって、アンテナ２は外部からこれを見るときにはホログラム像を伴って見えるものとなる。
【０００６】
上述のようにしてアンテナ２にＩＣチップ３を実装しホログラム箔５を一体化した金属薄板４は、透明なホットメルト接着剤６を用いて、表裏の外面層となるオーバーシート材７に挟み込んで接着することで非接触型データ送受信体１が得られる。前記ホットメルト接着剤６にはヒートシール接着剤シートが利用でき、また、塗工にて設けるようにしてもよい。
そして、上記オーバーシート材７にあってはアンテナ対応部分８が透明とされるとともにその他の部分が不透明であって、このアンテナ対応部分８からアンテナ２が目視可能に設けられている。これによって、前記アンテナ対応部分８からアンテナ２が上記ホログラム箔５のホログラム像を伴った状態で目視できるものとなり、非接触型データ送受信体１の改竄を抑止する効果が高くなる。即ち、アンテナ２を構成する細い金属層の部分においてホログラム箔が一体化したものとなっているため、このアンテナ対応部分での表示により改竄が極めて困難であることを強調できるものとなる。
【０００７】
図３は他の実施の形態を示している。この例の非接触型データ送受信体１にあっては、まず、中心側に上記アンテナ２とＩＣチップ３とを有する透明な所要の大きさとしたベースフィルム９が位置している。ベースフィルム９としてはＰＥＴフィルムを使用していて、例えば、これにシルク印刷手法により導電性インキをアンテナパターンにして印刷してアンテナ２を印刷形成している。つぎにこのアンテナ２にＩＣチップ３を実装し、ホログラム箔５を熱転写、或るいは熱圧着して一体化させる。これによって、アンテナ２は外部からこれを見るときにはホログラム像を伴って見えるものとなる。
【０００８】
上述のようにしてアンテナ２にＩＣチップ３を実装しホログラム箔５を一体化したベースフィルム９は、上記例と同じように透明なホットメルト接着剤６を用いてオーバーシート材７の間に挟み込んで接着し、そのオーバーシート材７の透明なアンテナ対応部分８からアンテナ２がホログラム像を伴って目視可能に設けられている。
この構造によってもアンテナ２を構成する細い金属層の部分においてホログラム箔が一体化したものとなっているため、このアンテナ対応部分での表示により改竄が極めて困難であることを強調できるものとなる。
【０００９】
なお、上記アンテナ２の形成に際して、導電性金属層に対してホログラム箔を一体化した後にプレスによりアンテナパターンとする打ち抜き加工を行ない、これにＩＣチップを実装するようにしてもよい。
【００１０】
つぎに上記構造の非接触型データ送受信体を作成した例を示す。
（実施例１）
中心側に位置させる金属薄板として厚さ１２０μｍ、東洋メタライジング社製（商品名：メタルミー）を使用するとともに、熱転写フホログラム箔として（トモエネーム社製）を使用し、この両者を熱プレスして圧着し、これにプレス打ち抜き加工を施してホログラム箔付きアンテナを得た。そして、ＩＣチップを実装した後のアンテナを厚さ１００μｍのヒートシール接着剤シートからなる透明なホットメルト接着剤を用いて、アンテナ対応部分を透明としている厚さ２２０μｍのオーバーシート材に挟み込んで接着することで非接触型データ送受信体を得た。この得られた非接触型データ送受信体を傾けてアンテナの部分を観察したところ、そのアンテナの部分にホログラム像を確認することができた。
【００１１】
（実施例２）
この非接触型データ送受信体の中心側に配するベースフィルム４としては厚さ５０μｍのＰＥＴフィルムを使用していて、これにシルク印刷手法により導電性インキをアンテナパターンにして印刷してアンテナを印刷形成した。使用する導電性インキは、銀ペースト（製品名：ＬＳ−４１１ＡＷ、アサヒ化学研究所製）に、粘度調整剤としてイソホロンおよびブチルセルソロブアセテートを適量加えて調製した。この導電性インキによりアンテナを形成し、ＩＣチップを実装したのちに、熱転写ホログラム箔（トモエネーム社製）を熱プレスして圧着しホログラム箔付きアンテナを得た。そして、このアンテナを厚さ１００μｍのヒートシール接着剤シートからなる透明なホットメルト接着剤を用いて、アンテナ対応部分を透明としている厚さ２５０μｍのオーバーシート材に挟み込んで接着することで非接触型データ送受信体を得た。この得られた非接触型データ送受信体を傾けてアンテナの部分を観察したところ、そのアンテナの部分にホログラム像を確認することができた。
【００１２】
【発明の効果】
以上説明したように本発明により、アンテナがホログラム像を伴ったアンテナ対応部分を通して外部から見ることができるようになり、この部分の改竄が極めて困難であることを強調できて、改竄の抑止効果が高くなるなど、実用性に優れた効果を奏するものである。
【図面の簡単な説明】
【図１】本発明に係る非接触型データ送受信体の一例を示す説明図である。
【図２】一例の要部を分解状態で示す説明図である。
【図３】他の例の要部を分解状態で示す説明図である。
【符号の説明】
１…非接触型データ送受信体
２…アンテナ
４…金属薄板
５…ホログラム箔
６…ホットメルト接着剤
７…オーバーシート材
８…アンテナ対応部分
９…ベースフィルム
【図１】
0004610055.tif 000002
【図２】
0004610055.tif 000003
【図３】
0004610055.tif 000004